(57)【特許請求の範囲】
【請求項１】
左側面板、正面板、右側面板、背面板を有し、これらを偏平に折り畳んだ状態から筒状に起こすことによって、底部分が組み立てられるオートボトムカートンであって、
前記左側面板、正面板、右側面板、背面板の隣り合う各面板の間には、複数の折罫により略曲面状となった隅部側面を有し、該隅部側面の下端が前記底部分より下方に伸び脚部を形成していることを特徴とするオートボトムカートン。
【発明の詳細な説明】
【技術分野】
【０００１】
本発明は、オートボトムカートンに関するものである。
【背景技術】
【０００２】
従来から、運搬時や保管時には、偏平に折り畳んだ状態で場所をとることなく運搬や保管ができ、使用時には偏平に折り畳んだ状態から、胴部分を筒状に起こすことによって、底部分が組み立てられ、ワンタッチで有底の角筒形状にして使用するオートボトムカートンが知られている。
【０００３】
例えば、図４の展開図の形状のブランクを組み立てて、図５（Ａ）の斜視図、図５（Ｂ）の底面図に示すように、四角形状の筒体から折罫を介し、内側方向に折り曲げ可能な側部連設板８、８と前後連設板９、９を設け、そのうちの相互に相対する一対の前後連設板９、９に折罫により区切られた底部貼着板１０、１０を設け、底部貼着板１０、１０を他の相互に相対する一対の側部連設板８、８に固着させたオートボトムカートンがある（特許文献１）。
【０００４】
このような形状のオートボトムカートンにおいては、収納物を底部分からの衝撃を緩和するために、底部分を浮かせようとして、四角形状の筒体の４隅の下端に図７（Ａ）の正面図のように脚部６を設けようとすると、図６のブランクの図のように脚部６を設けることとなり、図７（Ｂ）の底面図のように、底部分の４隅に孔３０が開いてしまい収納物が落ちてしまう恐れがあり、また、見栄えが悪い。
【０００５】
公知文献を以下に示す。
【先行技術文献】
【特許文献】
【０００６】
【特許文献１】実開昭６２−１１３０１５号公報
【発明の概要】
【発明が解決しようとする課題】
【０００７】
本発明は上記した事情に鑑みてなされたもので、収納物に加えられる底部分からの衝撃を緩和するために、底部分を浮かせる脚部を有するオートボトムカートンであって、底部分に孔の開かないオートボトムカートンを提供することを課題としている。
【課題を解決するための手段】
【０００８】
本発明の請求項１に係る発明は、左側面板、正面板、右側面板、背面板を有し、これらを偏平に折り畳んだ状態から筒状に起こすことによって、底部分が組み立てられるオートボトムカートンであって、
前記左側面板、正面板、右側面板、背面板の隣り合う各面板の間には、複数の折罫により略曲面状となった隅部側面を有し、該隅部側面の下端が前記底部分より下方に伸び脚部を形成していることを特徴とするオートボトムカートンである。
【０００９】
本発明のオートボトムカートンは、以上のような構成であって、左側面板、正面板、右側面板、背面板の隣り合う各面板の間に、複数の折罫により略曲面状となった隅部側面を有しているので、収納物に加えられる底部分からの衝撃を緩和するために、底部分を浮かせるための脚部を形成していても、底部分に孔が開くことがない。また、脚部を形成しているので、底部分の四隅を脚部が外側から固定し、カートンを保形することができる。
【発明の効果】
【００１０】
本発明のオートボトムカートンは、収納物に加えられる底部分からの衝撃を緩和するために、底部分を浮かせるための脚部を有していて、かつ、底部分に孔が開くことがない。また、脚部を形成しているので、底部分の四隅を脚部が外側から固定し、カートンを保形することができる。
【図面の簡単な説明】
【００１１】
【図１】本発明のオートボトムカートンの一例のブランクを模式的に平面で示した説明図である。
【図２】本発明のオートボトムカートンの一例を模式的に示した説明図である。（Ａ）正面図である。（Ｂ）左側面図である。（Ｃ）底面図である。
【図３】本発明のオートボトムカートンの一例で、易切断帯を切取り開封し、内蓋の上部を前に倒した状態を示した説明図である。（Ａ）正面図である。（Ｂ）右側面図である。
【図４】従来のオートボトムカートンの一例のブランクを模式的に平面で示した説明図である。
【図５】従来のオートボトムカートンの一例を模式的に示した説明図である。（Ａ）斜視図である。（Ｂ）底面図である。
【図６】従来のオートボトムカートンの他の例のブランクを模式的に平面で示した説明図である。
【図７】従来のオートボトムカートンの他の例を模式的に示した説明図である。（Ａ）正面図である。（Ｂ）底面図である。
【発明を実施するための形態】
【００１２】
以下本発明を実施するための形態につき説明する。
【００１３】
本発明のオートボトムカートンのブランクに用いる材料には、厚紙、プラスチックシートなどのシート状材料が使用できる。厚紙としては、ある程度腰のあるものであれば特に限定されない。また表面にプラスチックフィルムやアルミ蒸着層を設けた厚紙も使用できる。
【００１４】
図１は、本発明のオートボトムカートンの一例のブランクを模式的に平面で示した説明図である。図２は、本発明のオートボトムカートンの一例を模式的に示した説明図である。（Ａ）は、正面図である。（Ｂ）は、左側面図である。（Ｃ）は、底面図である。
【００１５】
本例のオートボトムカートンは、図１のブランクを一点破線で示した罫線を折って、必要部分をグルーなどで貼着して製函する。罫線は、押罫、ミシン罫、リード罫など、いずれの罫線でも構わない。この図１のブランクの説明図は、用紙の表面側すなわち箱の主に外側となる面から見た図である。
【００１６】
本例のオートボトムカートンは、右側面板１、正面板２、左側面板３、背面板４を有し、これらを偏平に折り畳んだ状態から筒状に起こすことによって、底部分が形成されるオートボトムカートンである。
【００１７】
右側面板１、正面板２、左側面板３、背面板４の隣り合う各面板の間には、複数の縦方向の折罫により略曲面状となった隅部側面５を有し、隅部側面５の下端が底部分より下方に伸び脚部６を形成するようになっている。
【００１８】
また、背面板４の左側の隅部側面５は、側部貼着板７が設けられていて、右側面板１の右側の隅部側面５に側部貼着板７が貼着され、背面板４の左側の隅部側面５と右側面板１
の右側の隅部側面５が接続されて１つの隅部側面５を形成するようになっている。
【００１９】
右側面板１と左側面板３の下端には、側部連設板８、８が連設され、正面板２と背面板４の下端には、前後連設板９、９が設けられていて、前後連設板９、９には折罫を挟んで、それぞれ、底部貼着板１０、１０が設けられている。
【００２０】
また、前後連設板９、９には舌片１１、１１が設けられ、オートボトムカートンを偏平に折り畳んだ状態から筒状に起こしたときに、それぞれの舌片１１、１１は、対向する前後連設板９、９の内側に差し込まれ、底部分をロックするようになっている。
【００２１】
また、右側面板１の上端またはその近傍から、正面板２の下部に下降し、下部で水平に進み、左側面板３の上端またはその近傍に至る２本のミシン目からなる易切断帯１２が設けられている。易切断帯１２には、正面板２の左右中央部分に、２本のミシン目を結ぶ切断線１３が設けられ、切断線１３から易切断帯１２を左右にそれぞれ切断して、易切断帯１２より上方部分を切り取れるようになっている。
【００２２】
右側面板１と左側面板３の上端には、フラップ１４、１４が連設されている。正面板２の上端には、外蓋１５と外蓋差込片１６が順次連設されている。また、背面板４の上端には、内蓋１７と内蓋差込片１８が順次連設されている。
【００２３】
内蓋１７には、水平方向のミシン目とその両端から上方に向かうミシン目からなる易切断線１９が設けられ、上方に向かうミシン目の上端から水平に内蓋１７の左右端部に向かう折返し線２０が設けられている。折返し線２０は、押罫、ミシン罫、リード罫などの罫線で設けられている。
【００２４】
また、内蓋１７と背面板４の境界およびその近傍に、開孔部および切込み線からなる差込口２１が、外蓋差込片１６を差し込み固定するために設けられている。
【００２５】
背面板４の上部には、中央が上方に凸となっている係止切込み線２２が、易切断帯１２を切断して開封した後、易切断線１９を切断して、折返し線２０から折り返して、内蓋１７の上部を前に倒して、内蓋差込片１８を係止するために設けられている。
【００２６】
本例のオートボトムカートンを組み立てるには、この図１の形状のブランクの背面板４の左側の隅部側面５の左側の側部貼着板７を、右側面板１の右側の隅部側面５に貼着させ、背面板４の左側の隅部側面５と右側面板１の右側の隅部側面５が接続して、１つの隅部側面５を形成させ、胴部分の右側面板１、正面板２、左側面板３、背面板４と隅部側面５、５、５、５を筒状にする。
【００２７】
また、前後連設板９、９と底部貼着板１０、１０の間を谷折りし、側部連設板８、８と、前後連設板９、９を筒状の内方に折込み、底部貼着板１０、１０の内面を隣り合った側部連設板８、８の外面にそれぞれ、接着剤などで接着させる。
【００２８】
これでオートボトムカートンの底部分ができる。胴部分を折畳んだ状態から、筒状に立ち上げると、底部貼着板１０、１０と側部連設板８、８が接着しているので、側部連設板８、８と前後連設板９、９などが略平面状になり、舌片１１、１１が対向する前後連設板９、９の内側にもぐりこみ、底部分を固定する。このように、胴部分を折畳んだ状態から筒状に立ち上げると、それに伴い底部分が形成される。このようなカートンを、オートボトムカートンと呼ぶ。
【００２９】
そして、フラップ１４、１４を筒状の胴部分の内方に倒し、内蓋１７をその上に倒して
、内蓋差込片１８を正面板２の内面に沿うように差込み、次に外蓋１５を内蓋１７の上に重なるように倒して、外蓋差込片１６を差込口２１に差し込むと、図２（Ａ）の正面図、（Ｂ）の左側面図、（Ｃ）の底面図のように、本例のオートボトムカートンが組み立てあがる。
【００３０】
以上のように組み立てあがった本例のオートボトムカートンは、右側面板１の上端またはその近傍から、下降してきた２本のミシン目からなる易切断帯１２が、正面板２の下部で水平になっていて、更に、左側面板３の上端またはその近傍に至るように設けられている。
【００３１】
また、正面板２の左右中央部分において、易切断帯１２には、その２本のミシン目を結ぶ切断線１３が設けられ、切断線１３から易切断帯１２を左右にそれぞれ切断して、易切断帯１２より上方部分を切り取れるようになっている。
【００３２】
右側面板１、正面板２、左側面板３、背面板４の隣り合う各面板の間には、複数の縦方向の折罫により略曲面状となった隅部側面５が設けられ、また、隅部側面５の下端が底部分より下方に伸び脚部６を形成している。
【００３３】
このように、隅部側面５の下端の脚部６が底部分を持ち上げているので、底部分に衝撃があった場合にも、脚部６により衝撃が緩和される。また、脚部６を設けても、隅部側面５が略曲面状となっていて、かつ、前後連設板９、９の上端の左右両端が曲線状になっているので、底部分に孔が開くことがない。
【００３４】
また、底部分は、胴部分を折畳んだ状態から、筒状に立ち上げると、底部貼着板１０、１０と側部連設板８、８が接着しているので、側部連設板８、８と前後連設板９、９などが略平面状になり、また、舌片１１、１１が対向する前後連設板９、９の内側にもぐりこみ、底部分を固定する。このように本例のオートボトムカートンの胴部分を折畳んだ状態から、筒状に立ち上げると、それに伴って、底部分が形成される。
【００３５】
本例のオートボトムカートンを開封するひとつの方法は、外蓋差込片１６を差込口２１から抜き出し、外蓋１５を起こす、続いて内蓋差込片１８を正面板２の内面側から抜き出し、内蓋１７を起こし、また、フラップ１４、１４を起こすことによって、本例のオートボトムカートンの筒状の上端が開口され、開封される。
【００３６】
本例のオートボトムカートンを開封する別の方法は、正面板２の下部に設けられた、易切断帯１２の切断線１３より、右へ、及び、左へ、それぞれ、易切断帯１２を切断して、右側面板１、及び、左側面板３まで切断して、易切断帯１２から上方を取り去る、これにより、本例のオートボトムカートンの右側面板１と左側面板３と正面板２の上方、及び、外蓋１５と外蓋差込片１６が取り去らわれ、開封される。
【００３７】
この後、内蓋１７を起こし、易切断線１９を切断して、折返し線２０から内蓋１７の上部を正面側に折り返す。そして、内蓋差込片１８を係止切込み線２２の上に凸となっている部分に差し込み係止すると、内蓋１７の上部の外面側が、正面側に折り返される。
【００３８】
本例のオートボトムカートンを個装された商品を積み重ねて収納する集積箱として用いる場合などでは、内蓋１７の上部の外面側に、収納されていた商品の名前やキャッチコピーや説明文あるいはイラストなどを表示させてＰＯＰとして機能させることができる。
【００３９】
カートンに多く用いられている厚紙は、片面コート紙が一般的であり、カートンの外面側がコート面になるようにして用いて、コート面に印刷する場合が多い。そのため、厚紙
のコート面にのみ印刷するだけで、内蓋１７の上部のＰＯＰとして機能する部分にも同時に印刷することができ両面に印刷する必要がない。
【符号の説明】
【００４０】
１・・・右側面板
２・・・正面板
３・・・左側面板
４・・・背面板
５・・・隅部側面
６・・・脚部
７・・・側部貼着板
８、８・・・側部連設板
９、９・・・前後連設板
１０、１０・・・底部貼着板
１１、１１・・・舌片
１２・・・易切断帯
１３・・・切断線
１４、１４・・・フラップ
１５・・・外蓋
１６・・・外蓋差込片
１７・・・内蓋
１８・・・内蓋差込片
１９・・・易切断線
２０・・・折返し線
２１・・・差込口
２２・・・係止切込み線
３０・・・孔
【図１】
0005831021.tif 000002
【図２】
0005831021.tif 000003
【図３】
0005831021.tif 000004
【図４】
0005831021.tif 000005
【図５】
0005831021.tif 000006
【図６】
0005831021.tif 000007
【図７】
0005831021.tif 000008